(57)【要約】【解決手段】  生産設備３としてのフィラが充填コントローラの異常により異常停止すると、状態変化を示すデータは、フィラの作動中を示す起動データ「０」、「充填コントローラの異常」に関する異常停止データ「８」、復旧のため開いた「作業扉の開放」に関する異常停止データ「３０」、起動ボタンの操作による起動データ「０」の順に変換される。（図６（ａ））  データ保存手段１６は、上記異常停止データ「８」となった時刻から、生産設備が再起動して起動データ「０」となるまでの期間を、「充填コントローラの異常」による生産設備の停止期間として認識する。（図６（ｄ））【効果】  整合性の取れた状態で生産設備の停止期間を認識することができ、正確に生産設備の生産履歴を管理することができる。【選択図】  図６
2006113965.tif 000002
【特許請求の範囲】
【請求項１】
複数の生産設備によって構成された生産ラインについての生産設備管理システムであって、
上記生産設備管理システムは、各生産設備の状態変化に関するデータを収集するデータ収集手段と、データ収集手段が収集したデータをデータファイルに記録保存するデータ保存手段とを備えた生産設備管理システムにおいて、
データ収集手段は上記状態変化のデータとして生産設備の異常停止についての異常停止データと、当該生産設備の起動についての起動データとを収集し、
データ保存手段は、上記データ収集手段が所定の生産設備について収集するデータが、起動データから異常停止データとなったら、その次に起動データが検出されるまでの期間を当該生産設備の停止期間に設定するとともに、該停止期間における最初の異常停止データを異常停止の原因に設定することを特徴とする生産設備管理システム。
【請求項２】
各生産設備には、各生産設備の状態変化に関する信号を発信する設備制御手段が設けられ、当該設備制御手段が発信する上記信号は、データ収集制御手段によって上記起動データ若しくは異常停止データに変換されてから、上記データ収集手段によって収集されることを特徴とする請求項１に記載の生産設備管理システム。
【請求項３】
データ保存手段により保存されたデータをもとに、生産設備名、異常停止理由、異常発生時刻及び停止期間からなる異常停止履歴を出力することを特徴とする請求項１または請求項２のいずれかに記載の生産設備管理システム。
【発明の詳細な説明】
【技術分野】
【０００１】
本発明は生産設備管理システムに関し、詳しくは複数の生産設備を備える生産ラインの管理を行う生産設備管理システムに関する。
【背景技術】
【０００２】
従来、複数の生産設備によって構成された生産ラインは、各生産設備の状態変化に関するデータを収集するデータ収集手段と、データ収集手段が収集したデータをデータファイルに記録保存するデータ保存手段とを備えた生産設備管理システムによって、各生産設備毎の状態変化などが管理されている。
このような生産設備管理システムとして、各製造設備の稼動情報、生産情報、アラーム情報等を、各製造設備に設けられた表示装置を介してホストコンピュータに収集し、これらの情報を用いて各生産設備の管理を行うようにしたものが知られている。（特許文献１）
また、各生産設備の資材情報や製造情報を製造履歴として蓄積する製造履歴蓄積部と、製造設備故障情報を設備故障履歴として蓄積する設備故障履歴蓄積部とを備え、製造履歴の検索結果と設備故障履歴とを対比管理する設備故障履歴出力部とを備えた生産設備管理システムも知られている。（特許文献２）
これらの生産設備管理システムによれば、ある生産設備が異常により停止しても、収集・蓄積したデータをもとに、生産設備が異常により停止した原因ごとに、その停止期間を検出することができるようになっていた。
【特許文献１】特開平５−１３８４６８号公報
【特許文献２】特開２００３−２４１８１５号公報
【発明の開示】
【発明が解決しようとする課題】
【０００３】
ここで、上記生産ラインはそれぞれ異なる設備メーカによって製造された生産設備によって構成されている場合があり、設備メーカの思想や仕様の違いにより、生産設備が異常停止してから再起動するまでの間に、各生産設備の状態変化の認識に差異が生じる場合がある。
例えば、同じ作業を行う生産設備であっても、ある設備メーカの生産設備では、リセットボタンの操作信号を収集するようにして、生産設備に異常信号が発生してからリセット信号の発生までを、その異常による停止時間として設定し、他の設備メーカの生産設備では、異常信号のたびにその旨のデータを収集するようにして、生産設備に異常信号が発生したあとに別の異常信号が発生すると、先の異常が解消されていなくても、後の異常による停止時間とみなすように設定されている場合がある。
したがって、このように収集されたデータから、生産設備の停止履歴を作成しようとしても、生産設備ごとに停止期間が異なる定義に基づいて認識されてしまい、生産設備毎の停止期間の扱いに整合性が取れなくなってしまうので、上記異常が生産ライン全体の稼働率に与えた影響等を算出しようとしても、その結果は必ずしも正確であるとはいえなかった。
このような問題に鑑み、本発明は生産ラインが異なる設備メーカの生産設備で構成されていたり、また作業者による作業手順に差異があっても、各生産設備の停止期間を整合性の取れた状態で認識することの可能な生産設備管理システムを提供するものである。
【課題を解決するための手段】
【０００４】
すなわち、本発明の生産設備管理システムは、複数の生産設備によって構成された生産ラインについての生産設備管理システムであって、
上記生産設備管理システムは、各生産設備の状態変化に関するデータを収集するデータ収集手段と、データ収集手段が収集したデータをデータファイルに記録保存するデータ保存手段とを備えた生産設備管理システムにおいて、
データ収集手段は上記状態変化のデータとして生産設備の異常停止についての異常停止データと、当該生産設備の起動についての起動データとを収集し、
データ保存手段は、上記データ収集手段が所定の生産設備について収集するデータが、起動データから異常停止データとなったら、その次に起動データが検出されるまでの期間を当該生産設備の停止期間に設定するとともに、該停止期間における最初の異常停止データを異常停止の原因に設定することを特徴としている。
【発明の効果】
【０００５】
本発明によれば、異常停止から再起動までの間に他の作業が行われたとしても、データ保存手段は生産設備が異常停止してから、生産設備が再起動するまでの期間を停止期間とするので、設備メーカによる思想の違いや、作業者の作業手順にかかわりなく、整合性の取れた状態で各生産設備の停止期間を認識することができ、生産設備の生産履歴を正確に管理することができる。
【発明を実施するための最良の形態】
【０００６】
以下図示実施例について説明すると、図１は本発明に係る第１の実施例を示し、容器に液体を充填する生産ライン１と、当該生産ライン１を管理・制御する生産設備管理システム２とを示している。
上記生産ライン１は複数の生産設備３から構成され、各生産設備３はそれぞれＰＬＣ（プログラマブルロジックコントローラ）などの設備制御手段４によって制御されるようになっている。
また上記生産設備管理システム２は、上記各生産設備３の設備制御手段４と直列的にＬＡＮ等の通信手段５を介して接続されたデータ収集制御手段６と、このデータ収集制御手段６と通信可能に接続され、生産ライン１の状態の表示等を行う端末装置７とから構成されている。
そして上記データ収集制御手段６は上記設備制御手段４から生産設備３の状態変化に関する信号を受信して、この信号を生産設備３の状態変化に関する状態データに変換し、端末装置７ではこの状態データを収集すると共に、当該状態データを用いたデータファイルを作成することで、生産ライン１の管理を行うようになっている。
【０００７】
上記生産ライン１について説明すると、この生産ライン１を構成する生産設備３として、本実施例では容器に飲料を充填するフィラ、容器にキャッピングを行うキャッパ、またこれらの設備の間に位置して上記容器の搬送を行うコンベヤ等が備えられている。
各生産設備３には上記設備制御手段４に各種検出信号を送信する図示しないセンサが設けられており、このセンサによって、処理した容器の本数や、生産設備３の異常が検出されるようになっている。
また各生産設備３には、異常が発生した時などに警報等を解除するためのリセットボタン、停止している生産設備３を起動させるための起動ボタン、生産設備３を停止させる停止ボタンなどが設けられている。
そしてセンサから信号を受信したり、上記ボタンが操作されると、設備制御手段４は上記データ収集制御手段６にその旨のビット信号を発信するようになっており、このビット信号として、生産設備３に生じた異常内容についての信号や、起動ボタンによる生産設備３の起動を示す信号等がある。
【０００８】
次に上記生産設備管理システム２のデータ収集制御手段６について説明すると、このデータ収集制御手段６は上記各生産設備３の設備制御手段４と通信手段５によって直列的に接続された信号取得手段１１と、受信したビット信号を下記エリアコードに対応する下記状態データへと変換するビット信号変換手段１２と、各エリアコードごとに所定の状態データを一時的に記憶する状態データ記憶部１３とを備えている。
信号取得手段１１は、設備制御手段４からのビット信号を受信すると、そのビット信号を送信した設備制御手段４の生産設備３を認識し、この生産設備名とビット信号とを信号変換手段１２へと送信する。
次に、ビット信号変換手段１２には予め、生産設備３の名称を示すエリアコードと、上記エリアコードに対応する生産設備３の起動や異常停止内容を示す状態データとが登録されている。
そしてビット信号変換手段１２は、信号取得手段１１からの信号を受信すると、ビット信号を送信した設備制御手段４の生産設備３に対応するエリアコードを認識すると共に、受信したビット信号を上記エリアコードに対応する状態データへと変換するようになっている。
図２は上記ビット信号変換手段１２に登録されているエリアコードと状態データの一例を示しており、この表において、左欄は上記エリアコードであり、たとえば生産設備３としてのフィラのエリアコードは「Ｒ１７０４１」となっている。
またエリアコードの右欄は状態データを示しており、各生産設備３によりそれぞれ異なる内容の状態データが設定されている。例えば、フィラでの充填コントローラの異常は「８」の状態データで示される。
なお、上記状態データの右欄は、後述する異常内容記憶部１５に記憶された異常停止理由を示しており、エリアコードと状態データとの組合せがどのような異常停止理由であるかわかるようになっている。
また、全てのエリアコードについて、生産設備３の起動状態を示す状態データは「０」に設定してあり、以下の説明ではこの「０」の状態データを起動データとし、「０」以外の状態データを異常停止データとする。
【０００９】
そして、上記状態データ記憶部１３は、上記ビット信号変換手段１２が変換した状態データを受信すると、各エリアコード毎に、それぞれひとつずつ、所定の状態データを記憶するようになっている。
状態データ記憶部１３が記憶する所定の状態データについて説明すると、状態データ記憶部１３は各エリアコードに対し、起動データが異常停止データに変化した時と、その後生産設備３が再起動して状態データが上記異常停止データから起動データに変化した時にだけ、状態データを書き換えて記憶するようになっている。
つまり、起動データが異常停止データに変化した後に、別の異常停止データが受信されても、状態データを当該別の異常停止データに書き換えないようになっている。
【００１０】
次に、生産設備管理システム２の端末装置７は、上記状態データ記憶部１３における所定のエリアコードの状態データが起動データから異常停止データに書き換えられたのを検出し、これを時系列的に収集するデータ収集手段１４と、上記エリアコード及び状態データに対応する上記異常停止理由が登録された異常内容記憶部１５と、異常停止した生産設備名、異常停止理由、異常停止時刻を時系列的に記録・保存するデータ保存手段１６と、このデータ保存手段１６に保存されたデータから異常停止履歴を出力するモニタ１７とを備えている。
上記データ収集手段１４は上記状態データ記憶部１３の所定のエリアコードについて、上記状態データが書き換えられると、その状態データを収集すると共に、その状態データが書き換えられた時刻を端末装置７に設けられたタイマより収集する。
異常内容記憶部１５には、上述したように、図２に示すエリアコード及び異常停止データに対応して、生産設備３毎に設定された異常停止理由が予め登録されている。
そしてデータ保存手段１６は、データ収集手段１４に収集された所定の生産設備の異常停止データから、異常内容記憶部１５に記憶されている異常停止理由を検索し、異常停止した生産設備名や異常停止時刻とともに当該異常停止理由をデータファイル１８に記録する。なお、データファイル１８はデータベースまたはその他のファイル形式であってもよい。
またデータ保存手段１６では、上記データ収集手段１４に収集された状態データが、起動データから異常停止データとなったら、その次に起動データが検出されるまでの期間を当該生産設備の停止期間に設定し、そのときの異常停止理由を異常停止の原因として認識するようになっている。
【００１１】
以下生産設備管理システム２の動作について、具体的に例をあげて説明する。ここでは生産設備３としてのフィラにおいて、充填コントローラに異常が発生してフィラが異常停止したときの、フィラの停止期間の認識方法を説明する。
最初に、上記データ収集手段１４によって収集されるデータから説明する。
フィラが正常に運転されている間、状態データ記憶部１３には、フィラを示すエリアコード「Ｒ１７０４１」についての状態データは、起動データを示す「０」が記憶されており、ここからフィラの充填コントローラに異常が発生すると、フィラは異常停止して設備制御手段４がビット信号を送信する。
このビット信号はビット信号変換手段１２によって、エリアコード「Ｒ１７０４１」についての異常停止データである「８」に変換され、状態データ記憶部１３はエリアコード「Ｒ１７０４１」の状態データを「０」から「８」へと書き換える。
次に、作業者が充填コントローラを復帰させるためにフィラの作業扉を開くと、作業扉に設けられているセンサが作動して、設備制御手段４がビット信号を送信する。
このビット信号はビット信号変換手段１２によって、エリアコード「Ｒ１７０４１」についての異常停止データを示す「３０」に変換されるが、状態データ記憶部１３では、エリアコード「Ｒ１７０４１」についての状態データは「８」のまま「３０」には書き換えないようになっている。
次に、充填コントローラの修復が終了し、作業者が作業扉を閉じ、リセットボタンを操作してから起動ボタンを操作すると、状態データは「８」から起動データである「０」に書き換えられる。
すなわち、状態データ記憶部１３は、作動中を示す起動データ「０」を充填コントローラの異常を示す異常停止データ「８」に書き換えたら、次の起動データ「０」との間に、作業扉の開放を示す異常停止データ「３０」があっても、これを無視するようになっている。
【００１２】
一方、データ保存手段１６は、データ収集手段１４が収集した異常停止データ「８」を収集すると共に、異常内容記憶部１５からエリアコード「Ｒ１７０４１」及び異常停止データ「８」に対応する異常停止理由「フィラ  充填コントローラ異常」を収集して、その収集した時刻とともにデータファイル１８に記録する。
またデータ保存手段１６は、エリアコード「Ｒ１７０４１」についての状態データが「８」に書き換えられた時刻から、その後状態データが起動データを示す「０」に書き換えられるまでの時刻を、フィラの停止期間として記録する。
これと同様、状態データ記憶部１３はフィラ以外の各生産設備３についても、該当するエリアコードについて所定の状態データだけを記憶し、データ収集手段１４がその状態データに対応した異常停止理由を収集することで、データ保存手段１６は、作動中の生産設備３が異常停止してから再起動するまでの期間を、当該異常停止理由による当該生産設備３の停止期間としてデータファイル１８に記録するようになっている。
【００１３】
図３〜図５はデータ保存手段１６によりデータファイル１８に記録保存されたデータをもとに作成され、上記モニタ１７に表示された生産ライン１に関する異常停止履歴の表示例であり、図３は生産ライン１の各生産設備３で生じた異常を、異常停止理由毎にその異常発生時刻と停止期間と共に表示したものである。
図４は生産ライン１全体及び各生産設備３毎に、異常停止理由ごとの停止回数と、当該異常停止理由による停止期間と、当該停止期間が及ぼす生産設備における停止率とをそれぞれ表示したものである。
図５は生産ライン１全体及び異常の発生した生産設備３について、異常停止理由と停止期間とに関するパレート図を表示したものである。
【００１４】
ここで、上記生産ライン１は上述したように多数の生産設備３によって構成されているが、これらの生産設備３がそれぞれ異なる設備メーカによって製造されている場合がある。
このような場合、生産設備３に異常が発生してから再起動させるのに必要な手順が生産設備３毎に異なっていたり、設備制御手段４が送信するビット信号が異なる場合がある。また、生産設備３を担当する作業者によっても、再起動させる手順に差異が生じる場合がある。
図６（ａ）（ｂ）は、異なる設備メーカが製造したフィラにおいて、同一の時間に充填コントローラに異常が発生した場合の、異常発生から再起動までに必要な手順と、ビット信号変換手段１２が変換した状態データとを、それぞれ時系列的に示したものとなっている。
【００１５】
最初に図６（ａ）のフィラでは、作業扉が開かれると設備制御手段４がビット信号を送信するようになっており、このため上記ビット信号変換手段１２は、フィラを示すエリアコード「Ｒ１７０４１」について、以下のように状態データを変換する。
上記充填コントローラに異常が発生するまでは、フィラは正常に作動しているので、状態データは起動データである「０」であり、充填コントローラに異常が発生してフィラが異常停止すると、状態データは「充填コントローラの異常」を示す異常停止データである「８」に変化する。
次に、作業者が作業扉を開くと、状態データは改めて「作業扉開放」を示す異常停止データ「３０」に変化し、最後に起動ボタンの操作により「作動状態」を示す起動データ「０」に変化する。
【００１６】
一方、図６（ｂ）のフィラでは、リセットボタンの操作によって発生する信号をもって、その停止理由が解除されたと設定してあるものとし、またリセットボタンにより停止理由が解除されたことを示す状態データが「１」であるものとすると、上記ビット信号変換手段１２は、フィラを示すエリアコード「Ｒ１７０４１」について、以下のように状態データを変換する。
充填コントローラの異常により状態データが「０」から「８」に変化すると、「作業扉開放」で「３０」に変化し、その後リセットボタンの操作により「１」に変化してから、起動ボタンの操作によって「０」に変化する。
【００１７】
さらに、同じ生産設備３であっても、作業者による作業手順によって異なる順序で状態データが変化する場合がある。
図６（ｃ）は上記図６（ｂ）と同一のフィラにおいて、図６（ｂ）とは異なる手順で再起動を行う場合を示した図となっており、この図ではフィラが異常停止した時点で作業者が一旦リセットボタンを操作し、その後作業扉を開いて充填コントローラの修復を行っている。
この場合、充填コントローラの異常により状態データが「０」から「８」に変化したら、その後リセットボタンの操作により状態データが「１」となり、作業扉が開かれることで、状態データは「１」から「３０」へと変化し、さらに作業扉が閉鎖されてリセットボタンが操作されることで、状態データは「３０」から「１」へと変化し、その後さらに起動ボタンの操作により「０」へと変化する。
【００１８】
以上のように、フィラを異常停止状態から再起動させる一連の作業を行う場合、図６（ａ）では「０」「８」「３０」「０」の順で状態データが変化し、図６（ｂ）では「０」「８」「３０」「１」「０」の順で状態データが変化し、図６（ｃ）では「０」「８」「１」「３０」「１」「０」の順で状態データが変化することとなる。
このように、同一の異常停止であっても、再起動させるためには状態データの変化にこれだけの差が生じ得るものとなっているため、この状態データをそのまま用いてデータファイル１８を作成してしまうと、各生産設備３毎に停止期間の長さに差が生じてしまうこととなる。
つまり、図６（ａ）及び（ｂ）での「充填コントローラの異常」による停止期間は、異常停止時刻から作業扉が開放されるまでの期間となり、図６（ｃ）での停止期間は、「充填コントローラの異常」による異常停止時刻から、復旧作業を行う前のリセットボタンが操作されるまでの期間となってしまう。
また、図６（ａ）、（ｂ）、（ｃ）いずれの場合にも、異常停止理由としてフィラを復旧させるために必要な「作業扉の開放」までが認識されてしまうこととなる。このため、この「作業扉の開放」という異常が、生産設備３の異常で発生したものなのか、作業者がフィラを復旧させるために開いたものなのかを判断することができなくなってしまう。
このように、生産設備３の停止期間の認識について整合性を取らないまま、図３〜図５のような異常停止履歴を作成しても、生産設備３ごとに作成される生産履歴の内容がそれぞれ異なってしまうので、作業者が生産履歴を正確に確認することができなくなってしまう。
【００１９】
このような問題に対して、本発明のデータ保存手段１６は上述した方法で停止期間の認識を行うので、設備メーカが異なっていたり、作業者の作業手順が異なっていても、同じ条件で生産設備３の停止期間を認識できるようになっている。
すなわち、本実施例のデータ保存手段１６は、図６（ａ）〜（ｃ）のいずれにおいても、最初に検出された充填コントローラの異常停止時刻から、フィラが再起動する起動時刻までの期間を停止期間として認識する。（図６（ｄ））
したがって、設備メーカが異なっていたり、作業者の作業手順が異なっていても、同じ条件でデータが保存されることとなり、上記図３〜図５のような異常停止履歴を用いて生産ライン１の状態を正確に知ることができる。
以上のことから、各生産設備ごとに停止期間の整合性をとらせるための手段を設ける必要がなく、しかも各設備制御手段４からのビット信号はデータ収集制御手段６で一括して変換されるようになっているので、各生産設備３に対して改造等を施す必要がなくなり、その分低コストに生産履歴の管理を行うことができる。
【００２０】
図７は本発明に係る第２の実施例を示したものであり、本実施例の場合、各生産設備３に、上記データ収集制御手段６のビット信号変換手段１２と状態データ記憶部１３とが備えられていて、生産設備管理システム２には上記操作端末と同じ、データ収集手段１４、異常内容記憶部１５、データ保存手段１６、モニタ１７が備えられている。
また本実施例では各生産設備３の状態データ記憶部と端末装置のデータ収集手段１４とは、それぞれ個別に通信手段５によって接続されている。
このような構成の場合であっても、各生産設備３毎に状態データ記憶部１３が当該生産設備３の状態データを書き換えてゆき、書き換えられた状態データは生産設備管理システム２のデータ収集手段１４によって収集されるようになっているので、上記第１の実施例と同様の効果を得ることができる。
【００２１】
なお、上記実施例では状態データ記憶部１３が書き換える状態データの判断を行っていたが、状態データ記憶部１３がビット信号変換手段１２が変換した全ての状態データを書き換えるようにしてもよい。
この場合、上記データ収集手段１４によって全ての状態データが収集されるが、上記データ保存手段１６は、状態データが起動データから異常停止データとなったら、その次に起動データが検出されるまでの間、収集された異常停止データを無視することで、上記実施例と同じ停止期間を得ることができる。
【図面の簡単な説明】
【００２２】
【図１】本実施例における生産ラインと生産設備管理システムを示す配置図。
【図２】状態データ記憶部及び異常内容記憶部に記録されている内容を示した表。
【図３】データ保存手段が作成する、生産ライン全体で生じた異常停止についての表。
【図４】データ保存手段が作成する、生産ライン全体および各生産設備毎に生じた異常停止についての表。
【図５】データ保存手段が作成する、生産ライン全体および異常の発生した生産設備についての異常停止に関するパレード図。
【図６】ビット信号変換手段が変換した状態データを時系列的に示すと共に、データ保存手段による停止期間の認識について示した図。
【図７】第２の実施例にかかる生産ラインと生産設備管理システムを示す配置図。
【符号の説明】
【００２３】
１  生産ライン                  ２  生産設備管理システム
３  生産設備                    ４  設備制御手段
６  データ収集制御手段          ７  端末装置
１２  ビット信号変換手段        １３  状態データ記憶部
１４  データ収集手段            １６  データ保存手段
１８  データファイル
【図１】
2006113965.tif 000003
【図２】
2006113965.tif 000004
【図３】
2006113965.tif 000005
【図４】
2006113965.tif 000006
【図５】
2006113965.tif 000007
【図６】
2006113965.tif 000008
【図７】
2006113965.tif 000009